(57)【特許請求の範囲】
【請求項１】
施工業者端末と、施工主端末とにネットワークを介して接続された画像管理装置であって、
前記施工業者端末又は前記施工主端末と通信を行う通信手段と、
施工対象物件の工事後の完成図を画像化したＣＧ画像を前記通信手段を介して前記施工主端末に送信させるＣＧ画像制御手段と、
前記施工主端末における撮影シーンの指定操作に基づいて前記ＣＧ画像からキャプチャされたキャプチャ画像を取得するキャプチャ画像取得手段と、
前記取得されたキャプチャ画像を前記通信手段を介して前記施工業者端末に送信させるキャプチャ画像制御手段と、
前記送信されたキャプチャ画像に対応する工事写真の撮影画像が前記通信手段を介して前記施工業者端末から受信されると、当該撮影画像を前記キャプチャ画像に対応付けて記憶する撮影画像記憶手段と、
前記施工主端末における閲覧要求操作に基づいて、当該施工主端末により前記撮影シーンの指定操作で予め指定されていた前記キャプチャ画像に対応する撮影画像を前記撮影画像記憶手段に記憶された複数の撮影画像の中から抽出することで取得し、その取得した撮影画像を前記撮影前記通信手段を介して前記施工主端末に配信させる配信制御手段と、
を備えることを特徴とする画像管理装置。
【請求項２】
前記配信制御手段は、前記通信手段を介して閲覧対象の撮影画像をキャプチャ画像により指定するための指定画面を前記施工主端末に送信させ、この指定画面におけるキャプチャ画像の指定情報が前記施工主端末から受信されると、当該キャプチャ画像に対応する撮影画像を前記撮影画像記憶手段から取得して前記施工主端末に配信させることを特徴とする請求項１に記載の画像管理装置。
【請求項３】
前記撮影画像記憶手段は、前記施工業者端末から受信された撮影画像をその撮影が行われた工事と関連づけて記憶することを特徴とする請求項１又は２に記載の画像管理装置。
【請求項４】
前記撮影画像記憶手段は、前記施工業者端末から受信された撮影画像をその撮影が行われた工程と関連づけて記憶し、
前記配信制御手段は、前記通信手段を介して前記施工業者端末から工程の指定情報が受信されると、当該工程に対応する撮影画像を前記撮影画像記憶手段から取得して前記施工業者端末に配信させることを特徴とする請求項３に記載の画像管理装置。  
【発明の詳細な説明】
【技術分野】
【０００１】
本発明は、工事の施工状況等を撮影した工事写真の撮影画像を管理する画像管理装置に関する。
【背景技術】
【０００２】
従来から、工事の施工に際してその施工状況の記録を残すために工事写真を撮影することが行われている。近年では、工事写真をインターネットを介して提供するシステムが開発されている（例えば、特許文献１参照）。これは、施工業者が撮影した工事写真の撮影画像をサーバに保存し、施工主（工事の依頼主）にその保存先を示すＵＲＬを通知するものであり、施工主がそのＵＲＬにアクセスすることにより、インターネット上で容易に工事写真を確認することができるというものである。
【特許文献１】特開２００１−３３１５５２号公報
【発明の開示】
【発明が解決しようとする課題】
【０００３】
しかしながら、工事写真自体は施工業者が撮影するため、撮影場所や撮影方向、撮影範囲等、施工主が所望する撮影シーンに沿わない場合がある。また、施工主側から施工業者に所望の撮影シーンをリクエストできることとしても、施工主が実際の現場を確認しながらリクエストできるわけではないため、撮影指示があいまいとなり、やはり施工主の要望に応じた撮影画像が得られない場合が多い。
【０００４】
本発明の課題は、施工主が所望する撮影シーンを施工業者に指示し、施工主が所望する撮影シーンに対応する実際の撮影画像を施工主に提供できるようにすることである。
【課題を解決するための手段】
【０００５】
請求項１に記載の発明は、施工業者端末と、施工主端末とにネットワークを介して接続された画像管理装置であって、前記施工業者端末又は前記施工主端末と通信を行う通信手段と、施工対象物件の工事後の完成図を画像化したＣＧ画像を前記通信手段を介して前記施工主端末に送信させるＣＧ画像制御手段と、前記施工主端末における撮影シーンの指定操作に基づいて前記ＣＧ画像からキャプチャされたキャプチャ画像を取得するキャプチャ画像取得手段と、前記取得されたキャプチャ画像を前記通信手段を介して前記施工業者端末に送信させるキャプチャ画像制御手段と、前記送信されたキャプチャ画像に対応する工事写真の撮影画像が前記通信手段を介して前記施工業者端末から受信されると、当該撮影画像を前記キャプチャ画像に対応付けて記憶する撮影画像記憶手段と、前記施工主端末における閲覧要求操作に基づいて、当該施工主端末により前記撮影シーンの指定操作で予め指定されていた前記キャプチャ画像に対応する撮影画像を前記撮影画像記憶手段に記憶された複数の撮影画像の中から抽出することで取得し、その取得した撮影画像を前記撮影前記通信手段を介して前記施工主端末に配信させる配信制御手段と、を備えることを特徴とする。
【０００６】
請求項２に記載の発明は、請求項１に記載の画像管理装置において、
前記配信制御手段は、前記通信手段を介して閲覧対象の撮影画像をキャプチャ画像により指定するための指定画面を前記施工主端末に送信させ、この指定画面におけるキャプチャ画像の指定情報が前記施工主端末から受信されると、当該キャプチャ画像に対応する撮影画像を前記撮影画像記憶手段から取得して前記施工主端末に配信させることを特徴とする。
【０００７】
請求項３に記載の発明は、請求項１又は２に記載の画像管理装置において、
前記撮影画像記憶手段は、前記施工業者端末から受信された撮影画像をその撮影が行われた工事と関連づけて記憶することを特徴とする。
【０００８】
請求項４に記載の発明は、請求項３に記載の画像管理装置において、
前記撮影画像記憶手段は、前記施工業者端末から受信された撮影画像をその撮影が行われた工程と関連づけて記憶し、
前記配信制御手段は、前記通信手段を介して前記施工業者端末から工程の指定情報が受信されると、当該工程に対応する撮影画像を前記撮影画像記憶手段から取得して前記施工業者端末に配信させることを特徴とする。
【発明の効果】
【０００９】
請求項１に記載の発明によれば、施工主が所望する撮影シーンに応じたキャプチャ画像を施工業者端末に送信するので、キャプチャ画像により施工業者に対して具体的かつ視覚的に撮影指示を行うことができ、施工主が所望する撮影シーンに対応する実際の撮影画像を施工主に提供することが可能となる。
【００１０】
請求項２に記載の発明によれば、キャプチャ画像により施工主は閲覧対象の撮影画像を視覚的に指定することが可能となる。
【００１１】
請求項３に記載の発明によれば、撮影画像をその工事に関連づけて記憶するので、施工主の要望に応じて撮影された撮影画像をその工事の記録である工事写真として管理することができる。
【００１２】
請求項４に記載の発明によれば、各撮影画像をその撮影が行われた工程に関連付けて記憶するので、施工業者において工事写真を参照したい工程がある場合にはその工程から工事写真の撮影画像を指定することが可能となる。
【発明を実施するための最良の形態】
【００１３】
まず、構成を説明する。
図１に、本実施形態における画像管理装置２を含む工事写真提供システム１を示す。
図１に示すように、工事写真提供システム１は、工事写真の提供サービスを行うサービス会社等に設置された画像管理装置２、工事を施工する施工業者に設置された施工業者端末３、工事を発注する施工主に設置された施工主端末５を備えて構成され、各構成装置２、３、５はそれぞれネットワークＮを介して接続されている。ネットワークＮは、インターネット、イントラネット、通信回線等の通信ネットワークである。
【００１４】
工事写真提供システム１は、画像管理装置２が施工主端末５から工事写真の撮影指示を受け付けるとともに、施工業者端末３に接続されるカメラ４で撮影された撮影画像を画像管理装置２において管理し、画像管理装置２が管理する撮影画像を施工業者端末３又は施工主端末５にネットワークＮを介して提供するものである。
以下、各構成装置について説明する。
【００１５】
画像管理装置２は、工事写真として撮影された撮影画像のデータを管理するものであり、工事写真の提供サービスを行うサービス会社等に設置されている。
図２に、画像管理装置２の内部構成を示す。
図２に示すように、画像管理装置２は、制御部２１、通信部２２、記憶部２３を備えて構成されている。
【００１６】
制御部２１は、ＣＰＵ（Central Processing Unit）、ＲＡＭ（Random Access Memory）等から構成され、記憶部２３に格納された各種制御プログラムや処理プログラムを読み出し、これらプログラムとの協働により演算を行う、或いは各部２２、２３を集中制御する。
【００１７】
通信部２２は、ネットワークインターフェイスカード等、通信用のインターフェイスを備え、ネットワークＮを介して接続される施工業者端末３や施工主端末５の外部装置と通信を行う。
【００１８】
記憶部２３は、大容量メモリ等から構成されている。
記憶部２３には、図３に示すように、ファイル保存領域２３１、キャプチャ画像保存領域２３２、撮影画像保存領域２３３、プログラム領域２３４、ＣＧ画像保存領域２３５等が形成されている。
【００１９】
ファイル保存領域２３１には、キャプチャ管理ファイル２３ａ、撮影画像管理ファイル２３ｂが記憶されている。キャプチャ管理ファイル２３ａは、施工工事後の完成予想図を画像化したＣＧ画像において、ある画像部分がキャプチャ（抽出）されたキャプチャ画像を管理するためのファイルである。また、撮影画像管理ファイル２３ｂは工事写真として撮影された撮影画像を管理するためのものである。
【００２０】
キャプチャ管理ファイル２３ａには、図３に示すように、複数の施工工事を個々に識別するために割り振られる工事番号（例えば、「000001」等）、その施工工事名（例えば、「△邸新築工事」等）、キャプチャ画像のキャプチャ位置が指定された順に付与される位置指定番号（例えば、「003」等）、そのキャプチャ位置を示す位置情報（例えば、「居間」等）、キャプチャ画像のファイル名（例えば、「C000001.jpg」等）の各項目情報が対応付けて記憶されている。これらの各項目情報はキャプチャ画像が取得される毎に追加され、更新される。
【００２１】
撮影画像管理ファイル２３ｂには、図３に示すように、工事写真の撮影が行われた施工工事の工事番号（例えば、「000001」等）、工事写真の撮影画像のファイル名（例えば、「00000100320050928140555.jpg」等）、施工工事においてその撮影画像が関連する一又は複数の工程を示す工程番号（例えば、「000001」「000003」、「000014」等）の各項目情報が対応付けて記憶されている。すなわち、撮影画像に関連づけて工事番号、工程等の工事に関する工事情報を記憶しているものである。これらの各項目情報は撮影画像が取得される毎に追加され、更新される。
【００２２】
キャプチャ画像保存領域２３２には、図３に示すように、「C000001.jpg」等のファイル名で示されるキャプチャ画像が保存されている。
撮影画像保存領域２３３には、図３に示すように、「00000100320050928140555.jpg」等のファイル名で示される撮影画像が保存されている。
【００２３】
プログラム領域２３４には、ネットワークを介して施工主端末５に撮影画像を配信するためのＷｅｂプログラムや、施工業者端末３に撮影画像を配信するための画像提供処理用プログラム、設計図等からＣＧ画像を作成するためのＣＧ処理プログラム等の各種制御プログラムや処理プログラムが記憶されている。また、プログラムの実行にあたって必要なパラメータやデータ等も記憶されている。
【００２４】
ＣＧ画像保存領域２３５には、設計図を元に施工工事後の完成予想図がＣＧ化されたＣＧ画像（例えば、「ＣＧ画像１」等）のデータが記憶されている。ＣＧ画像は施工工事毎に作成され、記憶されている。
【００２５】
施工業者端末３は、施工業者によって用いられるユーザ端末であり、各施工工事の工程管理や、画像管理装置２への工事写真の撮影画像のアップロード、又はこれらの閲覧を行うために利用されるものである。
【００２６】
図４に、施工業者端末３の内部構成を示す。
図４に示すように、施工業者端末３は、制御部３１、操作部３２、表示部３３、通信部３４、記憶部３５、Ｉ／Ｆ３６を備えて構成されている。
【００２７】
制御部３１は、ＣＰＵ、ＲＡＭ等から構成され、記憶部３５に格納されている各種制御プログラム、処理プログラムを読み出し、これらプログラムに従って演算を行う、或いは各部３２〜３６の動作を集中制御する。
【００２８】
操作部３２は、マウスやキーボード等を備え、これらの操作に応じた操作信号を生成して制御部３１に出力する。
【００２９】
表示部３３は、ＬＣＤ（Liquid Crystal Display）等を備え、制御部３１の制御に従って、操作画面やＷｅｂ閲覧画面、撮影画像等の各種表示情報を表示する。
【００３０】
通信部３４は、ネットワークインターフェイスカード等の通信用インターフェイスを備え、ネットワークＮを介して接続される画像管理装置２、施工主端末５等の外部装置と通信を行う。
【００３１】
記憶部３５は、大容量メモリ等から構成されている。
記憶部３５には、図６に示すように、ファイル保存領域３５１、プログラム領域３５２、マスタファイル領域３５３等が形成されている。
ファイル保存領域３５１には、施工工事に関する情報を管理するための工事ファイル３５ａ、各施工工事における工程を管理するための工程管理ファイル３５ｂ、各工程の内容の詳細に関する工程明細ファイル３５ｃが記憶されている。
【００３２】
施工業者端末３では、施工工事における工程管理を行うための工程管理プログラムがインストールされており、この工程管理プログラムの実行により、図５に示す入力画面ｄ１から各施工工事についての施工主、工事名等の情報や、施工工事において経るべき複数の工程についての工期開始及び終了の予定日付、実績日付等を設定登録することが可能である。ファイル保存領域３５３は、上記入力画面ｄ１における入力情報が記憶されるものである。
【００３３】
なお、工程とは基礎工事、鉄筋工事等の施工工事において経るべき工事の種類をいい、上記入力画面ｄ１において一の施工工事について必要な工程が設定される毎に制御部３１により工程を識別するための工程番号が付与される。また、一の施工工事について設定される複数の工程を一括管理するために工程管理番号が付与される。すなわち、一の施工工事について一の工程管理番号が付与されるので、同一工事において設定された各工程には同一の工程管理番号が対応することになる。
【００３４】
工事ファイル３５ａには、図６に示すように、施工工事を示す工事番号（例えば、「000001」等）、その施工主を示す施工主コード（例えば、「000001」等）、施工工事の工事名（例えば、「△邸新築工事」等）、施工工事が行われる工事場所（例えば、「○市△△」等）、施工工事の担当者を示す担当者コード（例えば、「001」等）の各項目情報が対応付けて記憶されている。これら各項目情報は、新たな工事についての工程管理が行われる毎に追加され、更新される。
【００３５】
工程管理ファイル３５ｂには、図６に示すように、施工工事について工程管理を行うために付与される工程管理番号（例えば、「000001」等）、その施工工事を示す工事番号（例えば、「000001」等）、その施工工事について工程情報の設定登録等が行われた処理日付（例えば、「20051110」等）の各項目情報が対応付けて記憶されている。
【００３６】
工程明細ファイル３５ｃには、図６に示すように、工程管理番号（例えば、「000001」等）、その工程管理番号により管理される工程を示す工程番号（例えば、「000001」等）、その工程の工期開始予定日付（例えば、「20051202」等）、工期終了予定日付（例えば、「20051205」等）、工期開始実績日付（例えば、「20051202」等）、工期終了実績日付（例えば、「20051207」等）の各項目情報が対応付けて記憶されている。これら各項目情報は、工程が設定される毎に追加され、更新される。
【００３７】
プログラム領域３５２には、図６に示すように、工程管理プログラム等の各種制御プログラムや処理プログラムの他、プログラムの実行に必要なパラメータやデータ等が記憶されている。
【００３８】
マスタファイル領域３５３には、図６に示すように、施工主マスタファイル、担当者マスタファイル、工程マスタファイル等の各種マスタファイルが記憶されている。施工主マスタファイルは施工主を示す施工主コードに対応付けて施工主に関する情報（氏名、住所等）が記憶されたものであり、担当者マスタファイルは施工業者側の工事担当者を示す担当者コードに担当者に関する情報（氏名、部署等）が対応付けて記憶されたものである。また、工程マスタファイルは工程番号とその工程番号が示す工程に関する情報（工程名称等）が対応付けて記憶されたものである。
【００３９】
Ｉ／Ｆ３６は、カメラ４を接続するためのインターフェイスである。Ｉ／Ｆ３６は、施工業者端末３と施工業者端末３に接続されたカメラ４との間で撮影画像等の各種データのやりとりを仲介する。
【００４０】
カメラ４は、撮像素子等を備えて被写体像を取り込み、これを撮影画像として生成するデジタルカメラである。カメラ４は表示ディスプレイを備え、この表示ディスプレイ上に操作画面や撮影画像を表示することができる。また、この表示ディスプレイは撮影時に撮像素子により取り込まれた画像を表示し、ファインダーとしての機能を発揮する。
【００４１】
施工主端末５は、施工工事を依頼した施工主（依頼主）により用いられるユーザ端末である。施工主端末５は、制御部、操作部、表示部、通信部、記憶部等から構成されるコンピュータであり、その構成は施工業者端末３等と略同様であるのでここではその図示及び詳細な説明は省略する。
施工主端末５には、Ｗｅｂプログラムがインストールされており、Ｗｅｂ画面の閲覧が可能である。
【００４２】
次に、動作について説明する。
図７は、工事写真提供システム１における一連の処理の流れを示す図である。
図７を参照して全体的な処理の流れを説明した後、各装置２、３、５において行われる処理を個別に説明する。
【００４３】
まず、施工業者において施工主から施工工事の依頼を受けると、施工業者により施工工事計画が立てられ、施工工事に必要な工程が決定される。そして、施工業者端末３において、施工業者により施工工事に関する工事情報、工程情報の入力が行われ、設計図の作成操作が行われると、図７に示すように、施工業者端末３では工事情報、工程情報等が登録されて工程管理が行われるとともに、設計図のデータが生成される（ステップＲ１）。設計図のデータは画像管理装置２に送信（アップロード）される。
【００４４】
画像管理装置２では、設計図のデータを元に施工工事後の完成予想図を示すＣＧ画像が作成され、保存される（ステップＲ２）。このＣＧ画像には、Ｗｅｂサイト上でその施工主のみ閲覧可能とするため、パスワードが設定され、このパスワード及び施工主コードの組み合わせで認証されたときのみ閲覧が可能な形でＣＧ画像が公開される。パスワードはその施工主コードの情報とともに施工業者から施工主に通知されるので、施工主は施工主端末５においてＣＧ画像を公開しているＷｅｂサイトへのアクセス操作を行い、パスワード及び施工主コードを入力する。
【００４５】
画像管理装置２では、施工主端末５からのアクセス操作を受けると、施工主をパスワード及び施工主コードにより認証したうえでＣＧ画像の閲覧画面が施工主端末５に送信される。施工主端末５では、ＣＧ画像の閲覧画面が表示される。この閲覧画面では施工主が施工状況や施工結果等を確認したい撮影シーンを指定することが可能である。施工主端末５ではその指定入力がなされると（ステップＲ４）、ＣＧ画像から指定された撮影シーンに対応する画像がキャプチャされ、そのキャプチャ画像が画像管理装置２に送信される。
【００４６】
画像管理装置２では、施工主端末５から取得されたキャプチャ画像の保存が行われる（ステップＲ５）。キャプチャ画像はさらに施工業者端末３に送信され、施工業者端末３を介してカメラ４に取り込まれる（ステップＲ６）。カメラ４では、このキャプチャ画像が表示されるので、施工業者はこのキャプチャ画像を元に施工主が所望する撮影シーンに応じた撮影を行うことが可能となる。
【００４７】
そして、カメラ４において撮影が行われ、その撮影画像が生成されると（ステップＲ７）、施工業者端末３に撮影画像が転送され、施工業者端末３によりさらに画像管理装置２に転送される（ステップＲ８）。画像管理装置２では転送された撮影画像がキャプチャ画像と対応付けて保存される。また、施工業者端末３から撮影画像に係る工程情報が取得され、この工程情報と撮影画像とが対応付けて保存される（ステップＲ９）。保存された撮影画像は、上述したＣＧ画像の場合と同様、パスワード、施工主コード、施工業者コード等によりその施工工事に関連する施工主及び施工業者のみ閲覧可能にＷｅｂ上で公開される。
【００４８】
画像管理装置２では、施工主端末５からのアクセス操作を受けると、パスワードや施工主コード等により施工主を認証したうえで、キャプチャ画像により撮影画像を検索可能な閲覧画面が作成されて施工主端末５に送信される。そして、施工主端末５から上記閲覧画面において選択操作されたキャプチャ画像の選択情報が受信されると、当該キャプチャ画像に対応する撮影画像が施工主端末５に送信される。施工主端末５では、画像管理装置２から受信された撮影画像の表示が行われ、閲覧に供される（ステップＲ１０）。
【００４９】
一方、施工業者端末３では、工程管理プログラムの起動により施工工事に係る工程管理画面が表示され、この工程管理画面から撮影画像の閲覧が可能である。工程管理画面は施工工事における各工程が選択可能に構成されており、この画面で選択操作された工程の選択情報が画像管理装置２に送信される。画像管理装置２では、工程の選択情報が受信されると、当該工程に対応する撮影画像が施工業者端末３に送信されるので、施工業者端末３ではその撮影画像が表示され、閲覧に供される（ステップＲ１１）。
【００５０】
次に、各装置２、３、５において行われる処理を個別に説明する。
まず、図８を参照して、施工主端末５において実行される撮影指定処理について説明する。撮影指定処理は、図７のステップＲ３、Ｒ４の処理に相当するものである。
【００５１】
説明の前提として、施工主端末５では予め画像管理装置２からＣＧ画像とともにＣＧ画像の閲覧制御用のプログラムを取得し、このプログラムの起動により図９に示すような施工物件のＣＧ画像の閲覧画面ｄ２を表示部上に表示しているものとする。ＣＧ画像には、施工工事の工事名、工事番号、施工物件の位置名称等のＣＧ画像に関する情報が付帯されている。
【００５２】
図９に示すように、閲覧画面ｄ２では、ＣＧ画像を様々な位置や方向からキャプチャしたキャプチャ画像ｄ２１を表示することが可能であり、キャプチャする位置、方向を変更操作するための操作ボタン群ｄ２２が含まれている。また、施工工事の工事名ｄ２６、現在表示しているキャプチャ画像ｄ２１が施工物件のどの位置に当たるのかを示す位置情報ｄ２５、送信ボタンｄ２４が表示されている。なお、工事名ｄ２６、位置情報ｄ２５はＣＧ画像の付帯情報から取得されるものである。また、送信ボタンｄ２４はキャプチャ画像ｄ２１を工事写真の撮影シーンとして指定するためのボタンである。
【００５３】
キャプチャ画像ｄ２１の左側には、このキャプチャ画像ｄ２１がどの位置でどの方向からキャプチャされたのかを判別するためのガイド表示ｄ２３がなされている。ガイド表示ｄ２３は、施工物件の間取り図（平面図）上に矢印が表示されたものであり、この矢印によりキャプチャする位置及び方向、つまり工事写真の撮影位置と撮影方向を示すものである。
【００５４】
施工主は、この閲覧画面ｄ２において表示されるキャプチャ画像ｄ２１を参照し、キャプチャする位置、方向を変更したい場合には、ガイド表示ｄ２３を参照しながら操作ボタン群ｄ２２を操作する。施工業者端末３では、変更操作に応じて変更した位置、方向でＣＧ画像から再キャプチャされ、その新たなキャプチャ画像が閲覧画面ｄ２において更新表示される。施工主は、所望の撮影シーンに応じたキャプチャ画像ｄ２１が表示されるまでこのような変更操作を繰り返し、送信ボタンｄ２４を操作する。送信ボタンｄ２４が操作されると、施工主端末５では図８に示す撮影指定処理が開始される。
【００５５】
図８に示す撮影指定処理では、閲覧画面ｄ２において送信ボタンｄ２４の押下操作がなされると（ステップＳ１１；Ｙ）、表示中のキャプチャ画像ｄ２１にファイル名が付与されるとともに（ステップＳ１２）、そのキャプチャ画像に位置指定番号が付与される（ステップＳ１３）。ファイル名は、キャプチャされた順に連番で発行された番号が付与される。また、位置指定番号とは撮影シーンを指定した順に連番で発行されるものであり、この番号によりある工事において撮影シーンとして指定された複数のキャプチャ画像ｄ２１を個別に識別することができる。
【００５６】
次いで、ファイル名が付与されたキャプチャ画像ｄ２１に対応する施工工事の工事名、工事番号、位置情報ｄ２５がＣＧ画像の付帯情報から取得される。これらの情報は、そのキャプチャ画像ｄ２１に付与された位置指定番号の情報とともにキャプチャ画像ｄ２１に付帯されて、画像管理装置２に送信される（ステップＳ１４）。
このステップＳ１１〜Ｓ１４の処理は、撮影シーンが指定される毎に繰り返されることとなる。
【００５７】
次に、施工主端末５からキャプチャ画像が送信された画像管理装置２において実行されるキャプチャ画像保存処理について、図１０を参照して説明する。このキャプチャ画像保存処理は、図７のステップＲ５に相当する処理である。
図１０に示すキャプチャ画像保存処理では、施工主端末５からキャプチャ画像の受信を要求する要求情報が受信されると（ステップＳ２１；Ｙ）、施工主端末５からキャプチャ画像とともに、施工工事の工事名、工事番号、位置指定番号、位置情報が通信部２２を介して受信される。
【００５８】
受信されたキャプチャ画像は制御部２１によりキャプチャ画像保存領域２３２に保存される（ステップＳ２２）。このとき、制御部２１により当該キャプチャ画像に透過処理を施した透過画像が作成され、キャプチャ画像とともに保存される。この透過画像は、工事写真の撮影を行う際のガイドとして表示するために作成されるものである。
【００５９】
一方、キャプチャ画像とともに受信された施工工事の工事名、工事番号、位置指定番号、位置情報の各情報は、制御部２１によりそれぞれ対応付けてキャプチャ管理ファイル２３ａに格納される。そして、キャプチャ管理ファイル２３ａの更新が行われると（ステップＳ２３）、本処理を終了する。
【００６０】
このようにして保存されたキャプチャ画像及びその透過画像は、キャプチャ管理ファイル２３ａに保存された工事番号、工事名、位置指定番号、位置情報の各項目情報（以下、これらをキャプチャ管理情報という）とともに画像管理装置２から施工業者端末３へ転送される。施工業者端末３では、Ｉ／Ｆ３６を介して接続されているカメラ４に、画像管理装置２から受信されたキャプチャ画像、その透過画像及びキャプチャ管理情報を転送する処理が行われる。
【００６１】
次に、カメラ４において実行される撮影処理について、図１１を参照して説明する。なお、この撮影処理は、図７のステップＲ６、Ｒ７、Ｒ８に相当する処理である。
図１１に示す撮影処理では、まず施工業者端末３からキャプチャ画像の取込要求の要求情報が入力されたか否かが判別され（ステップＳ３１）、要求情報が入力されている場合は（ステップＳ３１；Ｙ）、施工業者端末３からキャプチャ画像及びキャプチャ管理情報の取込が行われる（ステップＳ３２）。取り込まれたキャプチャ画像及びキャプチャ管理情報は、カメラ４内の記憶部に保存される。
【００６２】
キャプチャ画像の取込が終了すると、キャプチャ管理情報に基づいて工事番号がカメラ４の表示ディスプレイ上に選択的に一覧表示される（ステップＳ３３）。また、ステップＳ３１においてキャプチャ画像の取込要求がなされていない場合（ステップＳ３１；Ｎ）、既に取り込まれて保存されているキャプチャ画像のキャプチャ管理情報に基づいて工事番号（或いは、工事名称であってもよい）の一覧表示が行われる（ステップＳ３３）。
【００６３】
そして、撮影者により一覧表示された中から一の工事番号が選択操作されると（ステップＳ３４；Ｙ）、キャプチャ管理情報に基づいて選択された工事番号に対応する位置指定番号（或いは、位置情報であってもよい）が選択的に一覧表示される（ステップＳ３５）。この中からさらに一の位置指定番号が選択されると（ステップＳ３６；Ｙ）、選択された位置指定番号に対応するキャプチャ画像が表示ディスプレイ上に表示される（ステップＳ３７）。
【００６４】
この表示されたキャプチャ画像により、撮影者は撮影すべき撮影シーン、つまり撮影位置や方向等を確認することができる。なお、キャプチャ画像はその透過画像に切り替え表示可能である。撮影時にファインダーとして取込画像を表示させた表示ディスプレイ上に重ねて透過画像を表示させることにより、撮影者はその透過画像と取込画像とを一致させるように撮影を行うことができる。すなわち、透過画像を撮影用のガイドとして用いることが可能である。
【００６５】
そして、撮影者により撮影の指示操作がなされると（ステップＳ３８；Ｙ）、カメラ４では撮影動作がなされて撮影画像が生成される。そして、この撮影画像に、選択された工事番号、位置指定番号、撮影日時からなるファイル名が付与されてカメラ４の記憶部に保存される（ステップＳ３９）。
【００６６】
その後、撮影者はカメラ４を施工業者端末３のＩ／Ｆ３６に接続し、撮影画像の転送操作を行うと、施工業者端末３では、カメラ４から受信された撮影画像とその撮影画像が関連する施工工事の工程とを関連付けが行われる。
【００６７】
図１２を参照して、施工業者端末３において実行される工程設定処理について説明する。この処理は、撮影画像と施工工事の過程においてその撮影画像が関連する工程とを関連付けて画像管理装置２へ転送する処理であり、図７に示すステップＲ８に相当する処理である。
【００６８】
図１２に示す工程設定処理では、Ｉ／Ｆ３６を介してカメラ４から撮影画像が入力されると、工程設定画面が表示部３３上に表示される。そしてこの工程設定画面において操作部３２を介して工事番号の指定操作が行われると（ステップＳ４１）、入力された各撮影画像のファイル名が制御部３１により参照され、指定された工事番号が含まれるファイル名が取得されて（ステップＳ４２）、表示部３３上に一覧表示される（ステップＳ４３）。
【００６９】
操作者は、一覧表示された撮影画像のファイル名により、各撮影画像が関連する工程を判別する。各工程についてはその工期の開始及び終了時期が設定されており、また撮影画像のファイル名は、工事番号、位置指定番号、撮影日時から構成されているので、撮影日時等から撮影画像が何れの工程に関連しているのかは判別することが可能である。なお、撮影画像そのものを表示して判別させることとしてもよい。関連する工程が判別できた撮影画像については、操作者はその工程を示す工程番号の入力を行う。
【００７０】
施工業者端末３では、操作部３２を介して各撮影画像のファイル名について関連する工程番号が入力されると、制御部３１によりステップＳ４１で指定された工事番号及び入力された工程番号の情報が各撮影画像に付帯され、撮影画像に対して対応する工程が設定される（ステップＳ４４）。一の撮影画像に複数の工程が関連している場合等には（ステップＳ４５；Ｎ）、ステップＳ４４の処理を繰り返す。
【００７１】
各撮影画像について対応する工程の設定が終了すると（ステップＳ４５；Ｙ）、工事番号及び工程番号の情報が付帯された撮影画像が通信部３４を介して画像管理装置２へ送信される（ステップＳ４６）。
【００７２】
画像管理装置２では、撮影画像及びその付帯情報が受信されると、当該撮影画像が記憶部２３の撮影画像保存領域２３３に保存される。このとき、画像管理装置２では、撮影画像とその撮影のために用いられたキャプチャ画像とが対応付けて保存されることとなる。すなわち、図１３に示すように、キャプチャ管理ファイル２３ａにはキャプチャ画像のファイル名に対応付けて工事番号、位置指定番号が記憶されており、キャプチャ画像はこの工事番号と位置指定番号により特定することが可能である。これに対し、撮影画像のファイル名は、先頭の１〜５桁が撮影に用いたキャプチャ画像の工事番号、６〜８桁が位置指定番号から構成されているため、この工事番号及び位置指定番号により対応するキャプチャ画像を特定することができるものである。
【００７３】
また、撮影画像の付帯情報に基づいて、撮影画像と施工工事における工程とが関連づけて保存される。すなわち、撮影画像管理ファイル２３ｂにおいて撮影画像のファイル名と撮影画像に付帯された工事番号及び工程番号の情報とが対応付けて格納され、関連付けられる。
【００７４】
次に、図１４を参照し、画像管理装置２において実行される第１の画像提供処理について説明する。この処理は、施工主端末５に対して撮影画像を提供する処理であり、図７のステップＲ１０に該当する。なお、この処理は施工主端末５から撮影画像の閲覧要求がなされ、施工主の認証が行われた後に開始されるものである。
【００７５】
図１４に示す第１の画像提供処理では、制御部２１によりキャプチャ管理ファイル２３から認証された施工主に対応する施工工事の工事名、位置情報が抽出される（ステップＳ５１）。そして、抽出された工事名、位置情報に日付を加えてこれらを撮影画像の抽出条件とする閲覧画面が作成され、施工主端末５に送信される（ステップＳ５２）。なお、一の施工主に複数の依頼工事がある場合や撮影画像が複数ある場合には、それら複数の工事や撮影画像の位置情報、日付が選択できるように、抽出条件である工事名、位置、日付が閲覧画面において選択的に表示される。
【００７６】
施工主端末５では、画像管理装置２から受信された閲覧画面が表示されるので、施工主は閲覧したい撮影画像の工事名を選択操作する。さらに、撮影画像の撮影位置や撮影日付で絞り込みたい場合には、位置、日付の選択操作を行う。施工主端末５では、それら抽出条件の入力情報が画像管理装置２へ送信される。
【００７７】
画像管理装置２では、閲覧画面を介して施工主端末５から抽出条件が入力されると（ステップＳ５３；Ｙ）、制御部２１において全ての位置が選択されたか否かが判別され（ステップＳ５４）、全ての位置が選択された場合、つまり位置の抽出条件は特に指定されなかった場合には（ステップＳ５４；Ｙ）、ステップＳ５８の処理に移行し、位置の抽出条件が指定された場合には（ステップＳ５４；Ｎ）、ステップＳ５５の処理に移行する。
【００７８】
まず、位置の抽出条件が指定された場合について説明する。
この場合、キャプチャ管理ファイル２３ａに基づき、選択された工事名及び位置に対応するキャプチャ画像のファイル名が制御部２１により特定される。図３に示すキャプチャ管理ファイル２３ａの例で説明すると、例えば工事名「△邸新築工事」、位置「居間」が指定された場合、この指定条件に一致するキャプチャ画像のファイル名は「C000001.jpg」と特定することができる。そして、当該特定されたファイル名のキャプチャ画像がキャプチャ画像保存領域２３２から検索されて、通信部２２により施工主端末５へ送信される（ステップＳ５５）。
【００７９】
次いで、制御部２１ではキャプチャ管理ファイル２３ａにおいて特定されたキャプチャ画像のファイル名に対応する位置指定番号が取得され（ステップＳ５６）、選択された工事番号、取得された位置指定番号、日付（選択されている場合のみ）の抽出条件に一致する撮影画像が撮影画像保存領域２３３から抽出されて（ステップＳ５７）、施工主端末５へ送信される。撮影画像のファイル名は図１３に示したように、先頭１〜５桁が工事番号、続いて３桁が位置指定番号、続いて８桁が撮影日時となっているので、ファイル名を参照して工事番号、位置指定番号及び日付の条件に一致する撮影画像を検索することにより、抽出条件に一致する撮影画像を抽出することができる。なお、日付の抽出条件が選択されていない場合には、撮影画像の抽出条件から除外する。
【００８０】
施工主端末５では、画像管理装置２から送信されたキャプチャ画像及び撮影画像の縮小画像が生成され、図１５に示すような閲覧画面ｄ３において一覧表示される。この閲覧画面ｄ３は、３つの表示領域ｄ３２〜ｄ３４に分割され、表示領域ｄ３２には工事名、位置、日付の抽出条件が選択可能に表示されている。また、表示領域ｄ３３には選択した抽出条件に対応するキャプチャ画像の縮小画像、表示領域ｄ３４にはそのキャプチャ画像に対応する撮影画像の縮小画像が表示されている。撮影画像の縮小画像にはそのファイル名から取得された撮影日付の情報がともに表示されている。閲覧画面ｄ３ではこれら縮小画像をクリック操作することにより、縮小されていない元のキャプチャ画像及び撮影画像を確認することが可能である。
【００８１】
次に、位置の抽出条件が特に指定されなかった場合について説明する。
この場合、キャプチャ管理ファイル２３ａに基づき、選択された工事名に対応するキャプチャ画像のファイル名が制御部２１により特定され、当該ファイル名のキャプチャ画像がキャプチャ画像保存領域２３２から検索されて、施工主端末５へ送信される（ステップＳ５８）。
【００８２】
施工主端末５では、受信されたキャプチャ画像の縮小画像が作成されて閲覧画面において一覧表示される。具体的には、図１５に示す閲覧画面ｄ３の表示領域ｄ３４における撮影画像の縮小画像群を非表示とした状態と同一である。施工主は、この閲覧画面において閲覧したい撮影画像に対応するキャプチャ画像をクリック操作により選択する。施工主端末５では、この選択情報が画像管理装置２へ送信される。
【００８３】
画像管理装置２では、閲覧画面においてキャプチャ画像が選択されると（ステップＳ５９；Ｙ）、キャプチャ管理ファイル２３ａにおいて特定されたキャプチャ画像のファイル名に対応する位置指定番号が取得され（ステップＳ６０）、選択された工事番号、取得された位置指定番号、日付（選択されている場合のみ）の抽出条件に一致する撮影画像が撮影画像保存領域２３３から抽出され、施工主端末５へ送信されると（ステップＳ６１）、本処理を終了する。
【００８４】
施工主端末５では、撮影画像の縮小画像が生成され、図１５に示すように、閲覧画面ｄ３の表示領域ｄ３４に一覧表示される。
【００８５】
次に、図１６を参照して、画像管理装置２において実行される第２の画像提供処理を説明する。この第２の画像提供処理は、施工業者端末３に対して撮影画像を提供する際に実行される処理であり、図７のステップＲ１１に該当する。
【００８６】
施工業者端末３では、撮影画像を閲覧する際には、図１７に示すような工程管理画面ｄ４から撮影画像を取得することが可能な構成となっている。
図１７に示す工程管理画面ｄ４は、工事計画工程表と撮影画像の表示領域ｄ４１、ｄ４２に分けられており、工事計画工程表の表示領域ｄ４１では日付と施工工事における各工程とを現した表が表示されている。日付と工程とが交差する欄にはその工程の設定時に入力された工期の予定と実績を示す線が表示されている。
【００８７】
この工程管理画面ｄ４では、閲覧したい撮影画像をその撮影した日付、関連する工程、或いはその組み合わせの抽出条件で抽出することが可能である。撮影画像を日付で指定する場合には、日付欄の該当する日付部分をクリック操作し、撮影画像を工程で指定する場合には工程欄の該当する工程部分をクリック操作すればよい。また、撮影画像を日付と工程の両方で指定する場合には、その日付と工程が交わる欄をクリック操作すればよい。
施工業者端末３では、このような日付のみ、工程のみ、或いは日付及び工程の組み合わせで抽出条件が指定されると、その指定情報が画像管理装置２へ送信される。
【００８８】
画像管理装置２では、図１６に示すように、施工業者端末３において日付のみの抽出条件が指定されると（ステップＳ７１；Ｙ）、撮影画像管理ファイル２３ｂにおける撮影画像のファイル名が参照され、指定された日付に一致するファイル名が検索される。撮影画像のファイル名には先頭から９〜１６桁部分に撮影日が含まれるので、この９〜１６桁部分を参照し、指定された日付と一致するものを検索すればよい。そして、一致するファイル名があると、当該ファイル名の撮影画像が撮影画像保存領域２３３から抽出される（ステップＳ７２）。
【００８９】
一方、施工業者端末３において工程のみの抽出条件が指定された場合（ステップＳ７３；Ｙ）、撮影画像管理ファイル２３ｂに基づき、指定された工程の工程番号に対応するファイル名が検索され、当該ファイル名の撮影画像が撮影画像保存領域２３３から抽出される（ステップＳ７４）。
【００９０】
また、施工業者端末３において日付及び工程の組み合わせで抽出条件が指定された場合（ステップＳ７５；Ｙ）、撮影画像管理ファイル２３ｂに基づき、指定された工程の工程番号に対応するファイル名が検索され、この検索されたファイル名において指定された日付が一致するファイル名がさらに検索される。そして、一致するファイル名があると、当該ファイル名の撮影画像が撮影画像保存領域２３３から抽出され（ステップＳ７６）、ステップＳ７７の処理へ移行する。
【００９１】
ステップＳ７７では、抽出された撮影画像が施工業者端末３へ送信され（ステップＳ７７）、本処理を終了する。
施工業者端末３では、受信された撮影画像の縮小画像が作成され、図１７に示すように閲覧画面ｄ４の撮影画像の表示領域ｄ４２に一覧表示される。この撮影画像の縮小画像は、例えば撮影日時順、位置指定番号順等に並べ替えて表示することが可能である。この一覧表示された中から一の撮影画像を選択し、その縮小画像をクリック操作することにより、施工業者端末３では縮小されていない元の撮影画像が表示される。
【００９２】
以上のように、本実施形態によれば、画像管理装置２において、ＣＧ画像により施工主が所望する撮影シーンに対応するキャプチャ画像を施工主端末５から取得し、これを施工業者端末３に送信するので、施工業者はこのキャプチャ画像に基づいてカメラ４により施工主が所望する撮影シーンに応じた撮影を行うことができる。すなわち、キャプチャ画像により施工主の要望に応じた具体的な撮影指示を行うことが可能となる。この撮影シーンの指定操作は施工主端末５からＷｅｂサイトにアクセスして行うことができるので、施工主は自己の所有する端末から容易に撮影指示を行うことが可能である。
【００９３】
また、キャプチャ画像の透過画像を作成するので、この透過画像をカメラ４において撮影ガイドとして用いることができる。これにより、より施工主が要望する撮影シーンに応じた撮影を行うことができる。
【００９４】
また、施工主の要望により得られた撮影画像は、画像管理装置２において工事写真の一部として工程と関連付けられて管理されるので、施工業者は効率良く工事記録をとることができるとともに施工主端末５において画像管理を行う手間が省ける。
【００９５】
また、撮影された撮影画像は、施工業者端末３を介して画像管理装置２に送信され、画像管理装置２から施工業者端末３又は施工主端末５の要求に応じて配信されるので、施工主又は施工業者は工事写真として得られた撮影画像を随時閲覧することができ、撮影画像からその施工状況や施工結果等を確認することができる。
【００９６】
また、画像管理装置２において、撮影画像はその撮影に用いられたキャプチャ画像と対応付けて保存されるので、施工主が撮影画像を閲覧する場合にはキャプチャ画像から撮影画像を検索することができる。
【００９７】
さらに、画像管理装置２において、撮影画像は関連する工程の工程情報と対応付けて保存されるので、施工業者が撮影画像を閲覧する場合には、施工状況等を確認したい工程から撮影画像を検索することができる。撮影画像の表示は、工程管理表が表示された工程管理画面から行うので、視覚的に工程の進捗状況を確認しながら、実際の施工状況を示す撮影画像を確認することができ、工程管理作業が効率的となる。
【００９８】
なお、上述した実施形態は本発明を適用した好適な一例であり、これに限定されるものではない。
例えば、上述した実施形態では、画像管理装置２においてキャプチャ画像の透過画像を作成し、これをカメラ４において表示し、撮影ガイド用として用いることとしたが、施工業者端末３においてキャプチャ画像を印刷出力する等し、これを見ながら撮影を行うような形態であってもよい。
【００９９】
また、撮影画像とキャプチャ画像の関連付けは、キャプチャ管理ファイル２３ａにおいてキャプチャ画像のファイル名と工事番号、位置指定番号とを対応付けて保存し、かつ撮影画像のファイル名に工事番号、位置指定番号を含ませることにより行うこととしたが、撮影画像のファイル名とキャプチャ画像のファイル名とを対応付けて記憶するための関連付けファイル等を新たに設けることとしてもよい。
【０１００】
また、図９に示したＣＧ画像の閲覧画面ｄ２では、工事写真の撮影位置及び撮影方向を指定するため、キャプチャ位置及びキャプチャ方向を操作ボタン群ｄ２２により変更操作可能な構成としたが、さらにキャプチャ画像ｄ２１の倍率を変更操作可能な構成としてもよい。これにより、撮影シーンとして撮影倍率を指定することが可能となり、より具体的な撮影指示を行うことが可能となる。
【０１０１】
また、施工主端末５においてキャプチャ画像を作成し、これを画像管理装置２が取得する構成としたが、これに限らず、施工主端末５ではＣＧ画像の何れの場面の画像をキャプチャするのかを指示するだけの指示情報を生成して画像管理装置２に送信し、画像管理装置２においてこの指示情報に基づいてキャプチャ画像を作成する構成としてもよい。
【０１０２】
また、上述した説明では、工事写真の提供サービスを行う者と施工業者とが異なること場合を説明したが、施工業者が提供サービスを行う場合には画像管理装置２と施工業者端末３の機能を一体化することとしてもよい。
【図面の簡単な説明】
【０１０３】
【図１】本発明を適用した画像管理装置２を含む工事写真提供システム１を示す図である。
【図２】図１の画像管理装置２の内部構成を示す図である。
【図３】図２の記憶部２３に記憶されるファイル類の例を示す図である。
【図４】図１の施工業者端末３の内部構成を示す図である。
【図５】工事情報や工程情報の入力画面例を示す図である。
【図６】図４の記憶部３５に記憶されるファイル類の例を示す図である。
【図７】工事写真提供システムにおける全体的な処理の流れを説明する図である。
【図８】図１の施工主端末５により実行される撮影指定処理を示すフローチャートである。
【図９】ＣＧ画像の閲覧画面例を示す図である。
【図１０】画像管理装置２により実行されるキャプチャ画像保存処理を示すフローチャートである。
【図１１】図１のカメラ４により実行される撮影処理を説明するフローチャートである。
【図１２】施工業者端末３により実行される工程設定処理を説明するフローチャートである。
【図１３】撮影画像とキャプチャ画像との関連付けを説明する図である。
【図１４】画像管理装置２により実行される第１の画像提供処理を示すフローチャートである。
【図１５】撮影画像の閲覧画面例を示す図である。
【図１６】画像管理装置２により実行される第２の画像提供処理を示すフローチャートである。
【図１７】撮影画像の閲覧が可能な工程管理画面例を示す図である。
【符号の説明】
【０１０４】
１    工事写真提供システム
２    画像管理装置
２１    制御部
２３    記憶部
２３ａ    キャプチャ管理ファイル
２３ｂ    撮影画像管理ファイル
３    施工業者端末
３１    制御部
３５    記憶部
３５ａ    工事ファイル
３５ｂ    工程管理ファイル
３５ｃ    工程明細ファイル
４    カメラ
５    施工主端末
【図１】
0005157069.tif 000002
【図２】
0005157069.tif 000003
【図３】
0005157069.tif 000004
【図４】
0005157069.tif 000005
【図５】
0005157069.tif 000006
【図６】
0005157069.tif 000007
【図７】
0005157069.tif 000008
【図８】
0005157069.tif 000009
【図９】
0005157069.tif 000010
【図１０】
0005157069.tif 000011
【図１１】
0005157069.tif 000012
【図１２】
0005157069.tif 000013
【図１３】
0005157069.tif 000014
【図１４】
0005157069.tif 000015
【図１５】
0005157069.tif 000016
【図１６】
0005157069.tif 000017
【図１７】
0005157069.tif 000018